(57)【要約】【課題】後方への経血の伝い流れ及び後方からの体液の伝い漏れを効果的に防止でき、優れた防漏性を得ることのできる吸収性物品を提供すること。【解決手段】本発明の生理用ナプキン１Ａは、肌当接面側に形成された表面シート２、非肌当接面側に形成された裏面シート３及び両シート２，３間に介在する吸収体４を備えた縦長のものである。表面シート２には、装着者の体液排泄部に当接される排泄部領域ａの後方領域ｂに、幅方向に延びる複数本の液流れ防止壁８が、生理用ナプキン１Ａの長手方向に間欠的に並設されている。後方領域ｂの液流れ防止壁８は、後側中央防止壁８１Ｂと、後側中央防止壁８１Ｂから幅方向外方それぞれに形成された一対の後側外方防止壁８２Ｂ，８２Ｂとを有している。後方領域ｂの表面シート２は、後側中央防止壁８１Ｂと、後側外方防止壁８２Ｂと、それらを区画する溝９とで構成されてなる。【選択図】図１
2010119454.tif 000002
【特許請求の範囲】
【請求項１】
肌当接面側に形成された表面シート、非肌当接面側に形成された裏面シート及び両シート間に介在する吸収体を備えた縦長の吸収性物品であって、
前記表面シートには、装着者の体液排泄部に当接される排泄部領域の後方領域に、幅方向に延びる複数本の液流れ防止壁が、前記吸収性物品の長手方向に間欠的に並設されており、
前記後方領域の前記液流れ防止壁が、後側中央防止壁と、該後側中央防止壁から幅方向外方に形成された後側外方防止壁とを有し、後方領域の前記表面シートが、該後側中央防止壁と、該後側外方防止壁と、それらを区画する溝とで構成されてなる吸収性物品。
【請求項２】
前記表面シートには、前記排泄部領域の前方領域に、幅方向に延びる複数本の液流れ防止壁が、前記吸収性物品の長手方向に間欠的に並設されており、
前記前方領域の前記液流れ防止壁が、前側中央防止壁と、該前側中央防止壁から幅方向外方に形成された前側外方防止壁とを有し、前方領域の前記表面シートが、該前側中央防止壁と、該前側外方防止壁と、それらを区画する溝とで構成されてなる吸収性物品。
【請求項３】
前記後側外方防止壁又は前記前側外方防止壁それぞれは、複数個の独立した小凸部により形成されている請求項１又は２に記載の吸収性物品。
【請求項４】
前記後側中央防止壁又は前記前側中央防止壁の高さが、前記後側外方防止壁又は前記前側外方防止壁の高さよりも高い請求項１〜３の何れかに記載の吸収性物品。
【請求項５】
前記液流れ防止壁が、２枚のシートで形成されており、該液流れ防止壁が、中空形状を有している請求項１〜４の何れかに記載の吸収性物品。
【請求項６】
前記排泄部領域における前記表面シートは、多数の導液開孔を有している請求項１〜５の何れかに記載の吸収性物品。
【請求項７】
前記吸収性物品の肌当接面側の両側部には、該吸収性物品の長手方向へ延びる一対の防漏壁をそれぞれ備えており、前記後方領域及び／又は前記前方領域における前記防漏壁の起立していない領域に、前記液流れ防止壁が設けられている請求項１〜６の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
仰向けの状態で就寝すれば、装着者の肌と生理用ナプキンとの間に空間ができた場合、経血が着用者の肌を後方に伝わって、いわゆる伝い漏れを生じてしまう。装着者の肌と生理用ナプキンとの密着性を高め、伝い漏れを防止するため、例えば、特許文献１には、生理用ナプキンの表面シートから隆起した立体構造部を有する生理用ナプキンが開示されている。
【０００３】
しかし、特許文献１に記載の生理用ナプキンの立体構造部は、生理用ナプキンの長手方向に延びる弾性部材の伸縮により形成され、長手方向に長い、1つの大きな凸状形状のものであり、伝い流れる経血が多量である場合、経血は立体構造部の表面を流れ、やはり伝い漏れを生じてしまう恐れがある。
【０００４】
【特許文献１】特開２００５−３３４２９４号公報
【発明の開示】
【発明が解決しようとする課題】
【０００５】
従って、本発明の目的は、後方への経血の伝い流れ及び後方からの体液の伝い漏れを効果的に防止でき、優れた防漏性を得ることのできる吸収性物品を提供することにある。
【課題を解決するための手段】
【０００６】
本発明は、肌当接面側に形成された表面シート、非肌当接面側に形成された裏面シート及び両シート間に介在する吸収体を備えた縦長の吸収性物品であって、前記表面シートには、装着者の体液排泄部に当接される排泄部領域の後方領域に、幅方向に延びる複数本の液流れ防止壁が、前記吸収性物品の長手方向に間欠的に並設されており、前記後方領域の前記液流れ防止壁が、後側中央防止壁と、該後側中央防止壁から幅方向外方に形成された後側外方防止壁とを有し、後方領域の前記表面シートが、該後側中央防止壁と、該後側外方防止壁と、それらを区画する溝とで構成されてなる吸収性物品を提供することにより前記目的を達成したものである。
【発明の効果】
【０００７】
本発明の吸収性物品によれば、後方への経血の伝い流れ及び後方からの体液の伝い漏れを効果的に防止でき、優れた防漏性が得られる。
【発明を実施するための最良の形態】
【０００８】
以下、本発明の吸収性物品である生理用ナプキンの好ましい一実施形態について、図１〜図４に基づいて説明する。
【０００９】
第１実施形態の吸収性物品（生理用ナプキン）１Ａは、図１に示すように、生理用ナプキン１Ａの長手方向に延びる中心線ＣＬに対して左右対称に形成されている。
第１実施形態の生理用ナプキン１Ａは、図１〜図３に示すように、肌当接面側に形成された表面シート２、非肌当接面側に形成された裏面シート３及び両シート２，３間に介在する吸収体４を備えた縦長のものである。生理用ナプキン１Ａの表面シート２には、図１〜図３に示すように、装着者の体液排泄部に当接される排泄部領域ａの後方に亘る後方領域ｂに、幅方向（中心線ＣＬに垂直な方向）に延びる複数本の液流れ防止壁８が、生理用ナプキン１Ａの長手方向（ＣＬ線方向；中心線ＣＬに平行な方向）に間欠的に並設されている。
【００１０】
ここで、「排泄部領域ａ」とは、第１実施形態の生理用ナプキン１Ａのように、ウイング部３１を有する吸収性物品においては、通常、吸収性物品（生理用ナプキン１Ａ）の長手方向においてウイング部３１，３１を有する領域である。ウイング部３１を有しない吸収性物品における排泄部領域ａとは、生理用ナプキンが個装形態に折り畳まれた際に生じる製品長手方向（ＣＬ線方向）に直交する２つの折線について、生理用ナプキンの長手方向の前端から数えて第１折線と第２折線とに囲まれた領域と同じか又は狭い領域を言う。また、生理用ナプキンの製品長が長く３つの折線が生じる場合には、製品の長手方向（ＣＬ線方向）の前端から数えて第１折線と第２折線に囲まれた領域あるいは製品の長手方向の前端から数えて第１折線と第３折線とに囲まれた領域と同じか又は狭い領域を言う。
【００１１】
第１実施形態の生理用ナプキン１Ａについて、詳述すると、生理用ナプキン１Ａは、図１に示すように、その長手方向（ＣＬ線方向）に、装着者の体液排泄部に当接される排泄部領域ａ（ウイング部３１を有する領域）と、排泄部領域ａの後方に後方領域ｂと、排泄部領域ａの前方に前方領域ｃとを備えている。生理用ナプキン１Ａは、図１〜図３に示すように、液透過性の表面シート２、液不透過性又は撥水性の裏面シート３及び吸収体４を具備し、表面シート２と吸収体４とを固定する一対の溝９を具備している。溝９は、生理用ナプキン１Ａの両側部に、長手方向（ＣＬ線方向）に延びて延在している。表面シート２及び裏面シート３それぞれは、吸収体４よりも長手方向（ＣＬ線方向）に大きい外径寸法を有している。表面シート２及び裏面シート３は、生理用ナプキン１Ａの長手方向（ＣＬ線方向）の両端部ｂ１，ｃ１において、吸収体４の長手方向（ＣＬ線方向）の両端部から延出し、その延出部は互いにヒートシール等により接合されて吸収性本体５を形成している。第１実施形態の生理用ナプキン１Ａは、その肌当接面側の両側部に位置し、その長手方向へそれぞれ延びる一対の防漏壁７，７を備えている。第１実施形態の生理用ナプキン１Ａは、その長手方向における中央部より前寄りの位置に一対のウイング部３１を有している。ウイング部３１は、裏面シート３を延出することにより形成されており、その裏面には、該ウイング部３１を、下着のクロッチ部の外面（非肌対向面）に固定するための粘着部（不図示）が形成されている。
【００１２】
次いで、第１実施形態の生理用ナプキン１Ａの表面シート２の肌当接面に形成された液流れ防止壁８について説明する。
液流れ防止壁８は、後方領域ｂの上面に設けられるものであり、前方領域ｃの上面にも設けられることが好ましく、第１実施形態においては、図１に示すように、後方領域ｂ及び前方領域ｃの上面に設けられている。液流れ防止壁８は、後方領域ｂ又は前方領域ｃにおける防漏壁７の起立していない領域に、設けられていることが好ましく、第１実施形態においては、図１に示すように、後方領域ｂにおける防漏壁７の起立していない領域と前方領域ｃの全域に設けられている。液流れ防止壁８は、図１〜図３に示すように、幅方向（中心線ＣＬに垂直な方向）に延びて形成されている。液流れ防止壁８は、導液開孔１０を有していないことが好ましい。ここで、「導液開孔１０を有していない」とは、経血を吸収体４に導き、吸収させ易くするための開孔を、積極的に液流れ防止壁８の構成材料に形成していないことを意味している。
【００１３】
後方領域ｂにおける液流れ防止壁８は、図１，図２に示すように、２本〜８０本、好ましくは、１０本〜６０本設けられている。前方領域ｃにおける液流れ防止壁８は、図１に示すように、２本〜５０本、好ましくは、４本〜３０本設けられている。複数本の液流れ防止壁８は、図１，図２に示すように、生理用ナプキン１Ａの長手方向（ＣＬ線方向）に間欠的に並設されている。複数本の液流れ防止壁８は、図１，図２に示すように、生理用ナプキン１Ａの長手方向（ＣＬ線方向）に略等間隔を置いて設けられており、隣り合う液流れ防止壁８の間隔は、０．５ｍｍ〜１０ｍｍである。
【００１４】
後方領域ｂの液流れ防止壁８は、図３に示すように、後側中央防止壁８１Ｂと、後側中央防止壁８１Ｂから幅方向（中心線ＣＬに垂直な方向）外方それぞれに形成された一対の後側外方防止壁８２Ｂ，８２Ｂとを有し、後側中央防止壁８１Ｂと後側外方防止壁８２Ｂとが、非連続的に形成されている。即ち、後方領域ｂの表面シート２は、後側中央防止壁８１Ｂと、後側外方防止壁８２Ｂと、それら８１Ｂ，８２Ｂを区画する溝９（後述する後方溝９２）を備えている。同様に、前方領域ｃの液流れ防止壁８は、前側中央防止壁８１Ｃと、前側中央防止壁８１Ｃから幅方向（中心線ＣＬに垂直な方向）外方それぞれに形成された一対の前側外方防止壁８２Ｃ，８２Ｃとを有し、前側中央防止壁８１Ｃと前側外方防止壁８２Ｃとが、非連続的に形成されている。即ち、前方領域ｃの表面シート２は、前側中央防止壁８１Ｃと、前側外方防止壁８２Ｃと、それら８１Ｃ，８２Ｃを区画する溝９（後述する前方溝９３）とを備えている。
【００１５】
後側中央防止壁８１Ｂと前側中央防止壁８１Ｃとは、生理用ナプキン１Ａの幅方向（中心線ＣＬに垂直な方向）中央領域（ＣＴ）に形成されている。ここで、後方領域ｂにおける「幅方向中央領域（ＣＴ）」とは、図１に示す、後述する一対の後方外溝９２，９２で挟まれた領域の中の、一対の後方外溝９２，９２どうしの間隔が最も広い部位９２ａを基準の幅とする長手方向（ＣＬ線方向）に延びる帯状の領域を言う。外側外方防止壁８２Ｂは、外側中央防止壁８１Ｂ（部位９２ａ）から幅方向（中心線ＣＬに垂直な方向）外方であって、表面シート２の側端まで形成されている。前方領域ｃにおける「幅方向中央領域」とは、図１に示す、後述する一対の前方外溝９３，９３で挟まれた領域の中の、一対の後方外溝９３，９３どうしの間隔が最も広い部位を基準の幅とする長手方向（ＣＬ線方向）に延びる帯状の領域を言う。前側外方防止壁８２Ｃは、外側外方防止壁８２Ｂと同様に、前側中央防止壁８１Ｃから幅方向（中心線ＣＬに垂直な方向）外方であって、表面シート２の側端まで形成されている。
【００１６】
後側中央防止壁８１Ｂは、図３に示すように、幅方向（中心線ＣＬに垂直な方向）に長い箱状形状である。箱状の後側中央防止壁８１Ｂが、図１，図２に示すように、生理用ナプキン１Ａの幅方向中央領域（ＣＴ）に形成され且つ生理用ナプキン１Ａの長手方向（ＣＬ線方向）に間欠的に並設されている。前側中央防止壁８１Ｃについても同様である。
【００１７】
後側中央防止壁８１Ｂの長さ（中心線ＣＬに垂直な方向の長さ、部位９２ａの長さ）は、５ｍｍ〜６５ｍｍであり、後側中央防止壁８１の幅（中心線ＣＬに平行な方向の長さ）は、１ｍｍ〜１０ｍｍである。前側中央防止壁８１Ｃについても同様である。後側中央防止壁８１Ｂの高さは、後側外方防止壁８２Ｂの高さと同じか又はより高いことが好ましく、第１実施形態においては、後側外方防止壁８２Ｂの高さよりも高く、２ｍｍ〜４ｍｍである。同様に、前側中央防止壁８１Ｃの高さは、前側外方防止壁８２Ｃの高さと同じか又はより高いことが好ましく、第１実施形態においては、前側外方防止壁８２Ｃの高さよりも高く、２ｍｍ〜４ｍｍである。
【００１８】
一対の後側外方防止壁８２Ｂ，８２Ｂそれぞれは、第１実施形態においては、図３に示すように、幅方向（中心線ＣＬに垂直な方向）に複数個の独立した小凸部８２ａにより形成されている。一対の外側外方防止壁８２Ｂ，８２Ｂは、２個〜５個の小凸部８２ａにより、それぞれ形成されていることが好ましく、第１実施形態においては、３個の小凸部８２ａによりそれぞれ形成されている。各小凸部８２ａは、図３に示すように、略同じ大きさであり、小凸部８２ａの形状は、天面が略正方形の箱状形状である。前側外方防止壁８２Ｃについても同様である。
【００１９】
後側外方防止壁８２Ｂを形成する各小凸部８２ａの長さ（中心線ＣＬに垂直な方向の長さ）は、１ｍｍ〜１０ｍｍであり、各小凸部８２ａの幅（中心線ＣＬに平行な方向の長さ）は、１ｍｍ〜１０ｍｍである。各小凸部８２ａの高さは、第１実施形態においては、外側中央防止壁８１Ｂの高さよりも低く、１ｍｍ〜３ｍｍである。前側外方防止壁８２Ｃについても同様である。
【００２０】
一対の後側外方防止壁８２Ｂ，８２Ｂそれぞれが、複数個の独立した小凸部８２ａにより形成されておらず、後側中央防止壁８１Ｂのように、幅方向（中心線ＣＬに垂直な方向）に長い１つの箱状形状である場合には、後側中央防止壁８１Ｂの長さ（中心線ＣＬに垂直な方向の長さ）は、５ｍｍ〜３０ｍｍである。後側中央防止壁８１Ｂの幅及び高さは、上述の各小凸部８２ａの幅及び高さと同じである。前側外方防止壁８２Ｃについても同様である。
【００２１】
外側中央防止壁８１Ｂと外側外方防止壁８２Ｂとは、非連続的に形成されている（図４参照）。具体的には、外側外方防止壁８２Ｂを形成する３個の小凸部８２ａの中の中心線ＣＬに最も近い小凸部８２ａ１と外側中央防止壁８１Ｂとは、幅方向（中心線ＣＬに垂直な方向）からみて、重なっている部分を有し、非連続的に形成されている。また、第１実施形態においては、外側外方防止壁８２Ｂを構成する３個の小凸部８２ａどうしが、幅方向（中心線ＣＬに垂直な方向）からみて、重なっている部分を有し、３個の小凸部８２ａは、いわゆる千鳥状に配置されており、非連続的に形成されている（図４参照）。前側中央防止壁８１Ｃと前側外方防止壁８２Ｃについても同様である。
【００２２】
生理用ナプキン１Ａの防漏壁７は、ループ状又はＴ字状の防漏壁であることが好ましく、第１実施形態においては、図１，図３に示すように、ループ状の防漏壁７である。以下、ループ状の防漏壁７について説明する。
【００２３】
第１実施形態の生理用ナプキン１Ａでは、図１，図３に示すように、帯状の伸縮シート６が、吸収性本体５の長手方向（ＣＬ線方向）の側部５ａに、長手方向に沿って、配設及び固定されており、伸縮シート６の収縮により、肌当接面側に凸に起立した中空のループ状の防漏壁７が形成される。ここで、「起立」とは、中空のループ状の防漏壁７の頂部が表面シート２の表面よりも上方に位置する状態を意味する。
【００２４】
伸縮シート６は、第１実施形態においては、図３に示すように、肌当接面側のシート材６１と、非肌当接面側のシート材６２と、それらのシート材６１，６２間に、複数本の弾性部材６３とを配置して形成された複合シートである。肌当接面側のシート材６１と、非肌当接面側のシート材６２とは、同形同大の帯状（長方形状）のシートであり、上記伸縮シート６は、肌当接面側のシート材６１と非肌当接面側のシート材６２との間に、糸状の弾性部材６３を、シート材６１，６２の長手方向（ＣＬ線方向）に配置して形成されている。
【００２５】
複数本の弾性部材６３は、４本〜１０本であることが好ましい。複数本の弾性部材６３は、図１に示すように、生理用ナプキン１Ａの長手方向（ＣＬ線方向）における少なくとも排泄部領域ａに配されている。複数本の弾性部材６３それぞれは、伸張した状態で、帯状のシート材６１，６２の幅方向（ＣＬ線方向と直交方向）に略均等な間隔で配され、伸縮シート６を形成している。
【００２６】
伸縮シート６は、図３に示すように、表面シート２及び吸収体４を挟持するように、伸縮シート６の長手方向の一側部６ａの肌当接面側のシート材６１の表面が、表面シート２の肌当接面側に接合されて接合部８ａを形成している。また、伸縮シート６の長手方向の他側部６ｂは、吸収体４と裏面シート３との間に配され、他側部６ｂの非肌当接面側のシート材６２の表面が、吸収体４の非肌当接面に接合されて接合部８ｂを形成している。また、排泄部領域ａの前方の前方領域ｃ及び後方の後方領域ｂにおいて、伸縮性シート６は吸収性本体５に接合されている部分を有している。このように、帯状の伸縮シート６を、吸収性本体５の長手方向（ＣＬ線方向）の側部５ａに、長手方向に沿って、配設及び接合しているため、伸縮シート６が収縮することにより、中空のループ状に起立した部分を有する防漏壁７が形成される。各接合は、ヒートシールや接着剤等により行うことができる。第１実施形態においては、接合部８ａはヒートシールにより形成されており、伸縮シート６の非肌当接面側のシート材６２と吸収体４との接合は、接着剤により行われている。また、第１実施形態においては、表面シート２と吸収体４との接合は、接着剤により行われ、伸縮シート６の肌当接面側のシート材６１と裏面シート３との接合（接合部８ｂ）は、ヒートシールにより行われている。
【００２７】
ループ状の防漏壁７を形成する複合シートは、防漏壁７のループ状をなして起立している部分の前方及び後方、即ち後方領域ｂの後方及び前方領域ｃの前方には弾性部材６３が配置されておらず、伸縮性シート６を形成していない。伸縮性シート６を形成していない領域、又は弾性部材６３が配置されていても無伸張状態で配されている領域においては、防漏壁７は起立していないか起立状態が低くされており、この防漏壁７が起立していない領域または液流れ防止壁７より起立状態が低くされている領域に、液流れ防止壁８が設けられていることが好ましい。ループ状の防漏壁７を形成する複合シートは、図１に示すように、生理用ナプキン１Ａの長手方向の両端部においては、表面シート２及び裏面シート３と同様に、吸収体４の長手方向の両端部から延出しており、その延出部はヒートシールまたはホットメルト等により接合固定されている。
【００２８】
第１実施形態の生理用ナプキン１Ａでは、図１及び図３に示すように、吸収体４、表面シート２及び液流れ防止壁８を接合する溝９を有している。溝は、深く形成された部分とそれよりも若干浅く形成された部分とが交互に配置されて連続線を形成している。溝の深い部分は、図１においては、黒く塗りつぶした線で示されている。第１実施形態の生理用ナプキン１Ａでは、溝９は、排泄部領域ａに形成された排泄部外溝９１、排泄部領域ａの後方に形成された後方外溝９２及び排泄部領域ａの前方に形成された前方外溝９３を有しており、それぞれが繋がってリング状の全周防漏溝を成している。
【００２９】
溝９は、図１に示すように、生理用ナプキン１Ａの長手方向に延びる中心線（ＣＬ線）に線対称的に一対設けられている。一対の溝９，９は、吸収性本体５の長手方向（ＣＬ線方向）の両側部５ａ，５ａに沿って、それぞれ形成されている。第１実施形態の生理用ナプキン１Ａの溝９，９は、図１に示すように、排泄部領域ａの後方端部近傍に、生理用ナプキン１Ａの内側に括れた一対の括れ部9ａ１，９ａ１を有し、排泄部領域ａの前方端部近傍に、生理用ナプキン１Ａの内側に括れた一対の括れ部９ａ２，９ａ２を有している。括れ部９ａ１と括れ部９ａ２とで挟まれた領域の溝が、排泄部外溝９１であり、括れ部９ａ１よりも後方の領域の溝が、後方外溝９２であり、括れ部９ａ２よりも前方の領域の溝が、前方外溝９３である。
【００３０】
排泄部外溝９１は、図１に示すように、生理用ナプキン１Ａの長手方向に延びる中心線（ＣＬ線）に線対称的に一対設けられている。各排泄部外溝９１の形状は、幅方向（ＣＬ線方向と直交方向）に凸状の曲線であり、曲線半径ｒ＝３０〜７００の曲線である。
【００３１】
後方外溝９２は、図１に示すように、生理用ナプキン１Ａの長手方向に延びる中心線（ＣＬ線）に線対称的に一対設けられている。各後方外溝９２の形状は、幅方向（ＣＬ線方向と直交方向）に凸状の曲線であって、排泄部外溝９１の凸状よりも緩やかな曲線である。一対の後方外溝９２，９２が交わる部分においては、後方外溝９２と後方外溝９２とが鋭角に交わっている。前方外溝９３は、後方外溝９２と同様に、図１に示すように、排泄部外溝９１の凸状よりも緩やかな曲線であり、一対の前方外溝９３，９３が交わる部分においては、前方外溝９３と前方外溝９３とが鋭角に交わっている。排泄部外溝９１、後方外溝９２及び前方外溝９３の溝幅は、それぞれ１ｍｍ〜４ｍｍである。
【００３２】
表面シート２は、第１実施形態においては、図１に示すように、排泄部領域ａにおいて、多数の導液開孔１０を有している。導液開孔１０の開孔の幅は、４０ｍｍ〜７０ｍｍである。導液開孔１０は、１０個／ｃｍ2〜２０個／ｃｍ2形成されている。
【００３３】
第１実施形態の生理用ナプキン１Ａの吸収性本体５の後方端部ｂ１は、装着者の尾垳骨まで伸びて形成されており、裏面シート３は、図１に示すように、後方領域ｂにおいて、吸収性本体５の長手方向の両側縁５ａ，５ａそれぞれから幅方向（ＣＬ線方向と直交方向）に大きく延出しており、着用時にショーツ等の下着の内面（肌対向面）上に粘着固定される後部フラップを形成している。
【００３４】
第１実施形態の生理用ナプキン１Ａの形成材料について説明する。
裏面シート３及び吸収体４としては、通常、生理用ナプキン等の吸収性物品に用いられるものであれば、特に制限なく用いることができる。裏面シート３としては、例えば、樹脂フィルム、微細孔を有する樹脂フィルム、撥水不織布等の防漏性のものが挙げられる。吸収体４としては、例えば、フラッフパルプと高吸収性ポリマー粒子との混合物がティッシュペーパーに包被されて構成されたものが挙げられる。
【００３５】
液流れ防止壁８（後側及び前側中央防止壁８１Ｂ，８１Ｃ、後側及び前側外方防止壁８２Ｂ，８２Ｃ、小凸部８２ａ）が、図２〜図４に示す第１実施形態のように、表面シート２及び表面シート２以外の別シート２０からなる２枚のシートから形成されている場合、表面シート２としては、通常、生理用ナプキン等の吸収性物品に用いられるものであれば、特に制限なく用いることができ、各種公知の不織布を用いることができる。例えば、カード法により製造された不織布、スパンボンド不織布、メルトブローン不織布、スパンレース不織布、エアースルー不織布、ヒートロール不織布、ニードルパンチ不織布等の種々の不織布が挙げられる。
【００３６】
液流れ防止壁８が、２枚のシート（表面シート２及び別シート２０）から形成されている場合、別シート２０としては、表面シート２と同様のものを用いることができ、以下に説明する凹凸ロールによる賦形のし易さの観点から、特開平２００４−１７４２３４Ａ等に記載されているシートが好ましく用いられる。
【００３７】
ループ状の防漏壁７を形成する伸縮性シート６としては、伸縮性を有し、少なくとも排泄部領域ａにおいて、防漏壁７が肌当接面側に凸に起立したループ形状を保ちながら違和感なく自在に変形する剛性を持つシートである。
【００３８】
伸縮性シート６の伸縮物性は、生理用ナプキン１Ａの長手方向（ＣＬ線方向）において、５〜５０％伸張した時の応力が５０〜５００ｇｆ／２５ｍｍが好ましく、１００〜３００ｇｆ／幅２５ｍｍがより好ましい。
また、伸縮性シート６の剛性は、バルクソフトネス値で５〜２００ｇｆが好ましく、１０〜１００ｇｆがより好ましい。バルクソフトネス値が５ｇｆ未満であると、柔らかすぎループ形状を安定に保てず、２００ｇｆを超えると、装着時に自在に変形しなかったり、違和感となるので好ましくない。
尚、バルクソフトネスは、下記の如く測定できる。即ち、弾性シートを長手方向に１５０ｍｍ、幅方向に３０ｍｍの大きさの帯状体として切り出し、この帯状体の長手方向両端を５ｍｍ重ね合わせ、円筒状になる様にし、この重ね合わせた部分を側縁（円筒の上下縁）からほぼ１０ｍｍの位置にステープルで２ヶ所固定する。次いで、テンシロン圧縮試験機にて、圧縮速度１０ｍｍ／分の速度で圧縮し、円筒が座屈するまでの最大圧縮強度を測定する。測定回数５回の平均値をとって、バルクソフトネス値とする。
【００３９】
伸縮性シート６のシート材料としては、伸縮性のフィルム、伸縮性の不織布、伸縮性の織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する材料や、第１実施形態のように、これら伸縮性の材料を糸状にした弾性部材６３を肌当接面側のシート６１と非肌当接面側のシート６２との間に配置した複合シートが挙げられる。糸状の弾性部材６３の形態としては、断面が矩形、正方形、円形、多角形状等の糸状（糸ゴム等）若しくは紐状（平ゴム等）のもの、又はマルチフィラメントタイプの糸状のもの等が挙げられる。
【００４０】
伸縮性シート６の肌当接面側のシート６１としては、肌触りを良好にするため、ポリエチレン／ポリエステル、ポリエチレン／ポリプロピレン、ポリプロピレンからなる熱可塑性不織布であることが好ましい。非肌当接面側のシート６２も同様である。この様な熱可塑性不織布は、不織布自体が伸縮性を有するように、クリンプ加工した繊維を用いることが好ましい。クリンプ加工されていない繊維による伸縮し難い不織布を肌当接面側のシート６１及び非肌当接面側のシート６２に使用する場合には、あらかじめ弾性部材６３を所定の伸張率まで伸張し、それを肌当接面側のシート６１及び非肌当接面側のシート６２間に、等間隔で配置し、ホットメルトやヒートシール等によって接着することによって、伸縮性シート６となる複合シートを作成しても良い。肌当接面側のシート材６１及び非肌当接面側のシート材６２は、何れか一方又は両方が撥水性又は液不透過性であることが好ましい。
【００４１】
生理用ナプキン１Ａの液流れ防止壁８（後側及び前側中央防止壁８１Ｂ，８１Ｃ、後側及び前側外方防止壁８２Ｂ，８２Ｃ、小凸部８２ａ）の形成方法について説明する。尚、後方領域ｂの液流れ防止壁８と前方領域ｃの液流れ防止壁８との形成方法は、同じであるため、以下、後方領域ｂの液流れ防止壁８について説明する。
液流れ防止壁８（後側中央防止壁８１Ｂ、後側外方防止壁８２Ｂ、小凸部８２ａ）は、１枚のシート又は２枚のシートから形成することができ、第１実施形態においては、図２〜図４に示すように、２枚のシートから形成されており、液流れ防止壁８（後側中央防止壁８１Ｂ、後側外方防止壁８２Ｂ、小凸部８２ａ）は、中空形状を有している。具体的には、液流れ防止壁８（後側中央防止壁８１Ｂ、後側外方防止壁８２Ｂ、小凸部８２ａ）は、図２〜図４に示すように、表面シート２と表面シート２以外の別シート２０とから形成されており、凹凸ロールにより別シート２０に凹凸賦形し、そのシートを表面シート２に貼り合わせて形成されている。凹凸ロールの凸状ロールは、ロールの回転方向に直交する方向に、一対の後側外方防止壁８２Ｂ（３つの小凸部８２ａ），後側外方防止壁８２Ｂ（３つの小凸部８２ａ）を形成する凸状型と、一対の後側外方防止壁８２Ｂ，８２Ｂの間に挟まれている後側中央防止壁８１Ｂを形成する凸状型とからなる液流れ防止壁８を形成する凸状型とを有し、ロールの回転方向に、液流れ防止壁８を形成する凸状型を複数有している。凹凸ロールの凹状ロールは、液流れ防止壁８を形成する凸状型に対応する部分に、複数個の凹状型を有している。このような凹凸ロール間に、別シート２０を搬入して、凹凸賦形を別シート２０に施し、別シート２０の下面に、接着剤を塗布して表面シート２に貼り付けて、図４に示すような、中空形状を有する液流れ防止壁８（後側中央防止壁８１Ｂ、後側外方防止壁８２Ｂ、小凸部８２ａ）を形成する。
【００４２】
液流れ防止壁８（後側中央防止壁８１Ｂ、後側外方防止壁８２Ｂ、小凸部８２ａ）は、凹凸ロールの凸状ロールの凸状型の高さと、凹凸ロールの凹状ロールの凹状型の溝の深さとを調整することにより任意の高さに形成できる。第１実施形態においては、図３，図４に示すように、後側中央防止壁８１Ｂの高さの方が、後側外方防止壁８２Ｂ（３つの小凸部８２ａ)の高さよりも高いため、後側中央防止壁８１Ｂを形成する凸状ロールの凸状型の高さを後側外方防止壁８２Ｂ（３つの小凸部８２ａ)を形成する凸状ロールの凸状型の高さよりも高く調整し、後側中央防止壁８１Ｂを形成する凹状ロールの凹状型の溝の深さを後側外方防止壁８２Ｂ（３つの小凸部８２ａ)を形成する凹状ロールの凹状型の溝の深さよりも深く調整することにより形成する。
【００４３】
別シート２０は、液流れ防止壁８が形成される、少なくとも後方領域ｂにのみ表面シート２の上面に配されていてもよく、表面シート２の長手方向（ＣＬ線方向）の前後端に亘って配されていてもよい。第１実施形態のように、液流れ防止壁８が後方領域ｂ及び前方領域ｃに形成されている場合には、後方領域ｂ及び前方領域ｃにおける表面シート２の上面に配されていてもよい。
【００４４】
１枚のシートから液流れ防止壁８（後側中央防止壁８１Ｂ、後側外方防止壁８２Ｂ、小凸部８２ａ）を形成する場合には、不織布形成用の支持体（ネット）上に表面シート２となるウエブを積繊した後、隣り合う液流れ防止壁８と液流れ防止壁８との間の溝となる部分を吸引又は溝となる部分に気体を噴射してウエブに凹凸構造を付与し、それを加熱して液流れ防止壁８を形成する製法が考えられる。この製法によれば、図５に示すように、液流れ防止壁８（後側中央防止壁８１Ｂ、後側外方防止壁８２Ｂ、小凸部８２ａ）が繊維集合体で中実となっている構造を有する表面シート２を形成することができる。
【００４５】
生理用ナプキン１Ａの表面シート２の導液開孔１０の形成は、多数の穿孔ピンを押圧することにより形成できる。排泄部領域ａにおいて、多数の導液開孔１０を有する表面シート２を形成するためには、穿孔ピンを表面シート２の後方領域ｂ及び前方領域ｃに施さないように、排泄部領域ａにのみ施して複数個の導液開孔１０を形成する。液流れ防止壁８（後側中央防止壁８１Ｂ、後側外方防止壁８２Ｂ、小凸部８２ａ）が２枚のシートから形成されており、別シート２０が、表面シート２の長手方向（ＣＬ線方向）の前後端に亘って配されている場合には、凹凸賦形を施した別シート２０を表面シート２の上面に貼り合わせた後に、排泄部領域ａにのみ穿孔ピンを押圧し、別シート２０及び表面シート２を貫通する導液開孔１０を形成する。また、別シート２０が、液流れ防止壁８が形成される後方領域ｂ及び前方領域ｃにのみ表面シート２の上面に配されている場合には、表面シート２に予め穿孔ピンを押圧し、表面シート２を貫通する導液開孔１０を形成していてもよい。同様に、液流れ防止壁８（後側中央防止壁８１Ｂ、後側外方防止壁８２Ｂ、小凸部８２ａ）が１枚のシートから形成されている場合には、表面シート２の排泄部領域ａにのみ穿孔ピンを押圧し、表面シート２を貫通する導液開孔１０を形成する。
【００４６】
生理用ナプキン１Ａの溝９（排泄部外溝９１、後方外溝９２及び前方外溝９３）の形成は、公知のエンボス法を利用することができる。例えば、超音波エンボス、熱エンボスが利用できる。溝９は、液流れ防止壁８を有する表面シート２（図４参照）を吸収体４の肌当接面上に配した後、表面シート２側から裏面シート３側へエンボス加工し、図３に示すように、吸収体４の表面より下方に位置するまで圧搾することにより形成されている。溝９を施すことにより、表面シート２、液流れ防止壁８（別シート２０）及び吸収体４が一体固定されている。
【００４７】
一対の後方外溝９２，９２それぞれは、図４に示す、後側中央防止壁８１Ｂと小凸部８２ａ１との間をエンボス加工することにより形成され、一対の後方外溝９２，９２の間隔は、生理用ナプキン１Ａの長手方向の後方に行くに従って、後方外溝９２，９２どうしの間隔の最も広い部位９２ａよりも徐々に狭くなっている。そのため、生理用ナプキン１Ａの後方領域ｂの後方においては、一対の後方外溝９２，９２は後側中央防止壁８１Ｂを分断するように形成されている。一対の前方外溝９３，９３についても、後方外溝９２と同様に、前側中央防止壁８１Ｃを分断するように形成されている。
【００４８】
次に上述した本発明の実施形態の生理用ナプキン１Ａを使用した際の作用効果について説明する。
第１実施形態の生理用ナプキン１Ａは、図１〜図３に示すように、後方領域ｂの上面に、幅方向（中心線ＣＬに垂直な方向）に延びる液流れ防止壁８が設けられているので、仰向けの状態で就寝しても、装着者の肌と生理用ナプキンとの間に空間を生じず、経血の伝い流れを効果的に防止でができる。このような液流れ防止壁８が、複数本、長手方向（ＣＬ線方向）に間欠的に並設されているので、第１実施形態の生理用ナプキン１Ａは、後方への伝い流れを効果的に防止でき、その結果、後方からの体液の伝い漏れを効果的に防止でき、優れた防漏性を有する。また、第１実施形態の液流れ防止壁８は、導液開孔１０を有さないので、経血を効果的に堰き止めることができる。
【００４９】
また、第１実施形態の生理用ナプキン１Ａは、図１に示すように、前方領域ｃの上面にも、幅方向（中心線ＣＬに垂直な方向）に延びる液流れ防止壁８が設けられているので、うつ伏せの状態で就寝しても、装着者の肌と生理用ナプキンとの間に空間を生じず、経血の伝い流れを効果的に防止でができる。
【００５０】
また、第１実施形態の生理用ナプキン１Ａは、後方領域ｂにおける防漏壁７の起立していない領域または起立していても液流れ防止壁８より低くされている領域に、液流れ防止壁８が設けられている。このように、防漏壁７の起立していない領域または起立していても液流れ防止壁８より低くされている領域に、液流れ防止壁８が設けられていれば、液流れ防止壁８と身体とのフィット性が良好とされ、後方への液流れの防止性を高めることができる。
【００５１】
また、第１実施形態の生理用ナプキン１Ａは、図１，図４に示すように、後方領域ｂにおいて、後側中央防止壁８１Ｂと後側外方防止壁８２Ｂとが、非連続的に形成されているので、幅方向（中心線ＣＬに垂直な方向）への経血の拡散を防止することができ、結果として、後方への伝い流れ及び後方からの体液の伝い漏れを効果的に防止でき、優れた防漏性を有する。第１実施形態の生理用ナプキン１Ａは、図１，図４に示すように、一対の後側外方防止壁８２Ｂがさらに複数個の独立した小凸部８２ａから形成されており、幅方向（中心線ＣＬに垂直な方向）に隣り合う小凸部８２ａ，８２ａどうしは、非連続的に形成されているので、幅方向（中心線ＣＬに垂直な方向）への経血の拡散をさらに防止することができ、結果として、後方への伝い流れ及び後方からの体液の伝い漏れをさらに効果的に防止でき、優れた防漏性を有する。また、同様に、第１実施形態の生理用ナプキン１Ａは、前方領域ｃにおいても、前側中央防止壁８１Ｃと前側外方防止壁８２Ｃとを有しているため、前方への伝い流れ及び前方からの体液の伝い漏れを効果的に防止でき、優れた防漏性を有する。
【００５２】
また、第１実施形態の生理用ナプキン１Ａは、図１、図３及び図４に示すように、後側及び前側中央防止壁８１Ｂ，８１Ｃの高さが、後側及び前側外方防止壁８２Ｂ，８２Ｃの高さよりも高い。特に、後側中央防止壁８１Ｂは、幅方向中央領域（ＣＴ）に形成されているため、装着者の臀部の割れ目に入りやすく、装着者の肌と生理用ナプキンとの間に空間をさらに生じ難く、経血の伝い流れを効果的に防止でができる。
【００５３】
また、第１実施形態の生理用ナプキン１Ａは、図３及び図４に示すように、液流れ防止壁８が中空形状を有している。そのため、吸収体４に吸収されるまで経血を溜めることができるので、多量の経血の伝い流れを堰き止めることができ、後方への伝い流れ及び後方からの体液の伝い漏れを効果的に防止できる。
【００５４】
また、第１実施形態の生理用ナプキン１Ａの表面シート２は、図１及び図２に示すように、排泄部領域ａにおいて導液開孔１０を有しているので、液流れ防止壁８で堰き止めた経血を素早く吸収体４に吸収することができる。そのため、後方への伝い流れ及び後方からの体液の伝い漏れをさらに効果的に防止でき、優れた防漏性を有する。
【００５５】
次に、本発明の第２実施形態の生理用ナプキンについて、図９に基づいて説明する。
第２実施形態の生理用ナプキン１Ｂについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００５６】
第２実施形態の生理用ナプキン１Ｂの表面シート２は、図９に示すように、吸収体４の上面の全域を被覆し且つ吸収体４の側縁を覆って裏面シート３側へ巻き込まれている。裏面シート３は、吸収体４の下面を被覆している。表面シート２及び裏面シート３は、生理用ナプキン１Ｂの長手方向（ＣＬ線方向）の両端部ｂ１，ｃ１において、吸収体４の長手方向（ＣＬ線方向）の両端部から延出し、その延出部は互いにヒートシール等により接合されて吸収性本体５を形成している。第２実施形態の生理用ナプキン１Ｂの液流れ防止壁８（後側中央防止壁８１Ｂ、後側外方防止壁８２Ｂ、小凸部８２ａ）は、図９に示すように、吸収体４の上方に形成されている。第２実施形態の生理用ナプキン１Ｂは、その肌当接面側の両側部に位置し、その長手方向へそれぞれ延びる一対の防漏壁７’，７’を備えている。第２実施形態の生理用ナプキン１Ｂの防漏壁７’は、図９に示すように、Ｔ字状の防漏壁である。以下、Ｔ字状の防漏壁７’について説明する。
【００５７】
Ｔ字状の防漏壁７’は、図９に示すように、一枚の帯状のシート６’をスリーブ状に且つＴ字型に加工して形成されている。シート６’としては、肌触りを良好にするため、ポリエチレン／ポリエステル、ポリエチレン／ポリプロピレン、ポリプロピレンからなる熱可塑性不織布であることが好ましい。Ｔ字状の防漏壁７’は、基壁部７ａを備えており、基壁部７ａは、固定端と自由状態の自由端とを有している。
【００５８】
Ｔ字状の防漏壁７’は、図９に示すように、自由端から略水平方向に張り出している面状の張り出し部７ｂを備えている。生理用ナプキン１Ａの装着状態においては、張り出し部７ｂの上面が、着用者の肌に面で当接するようになっている。張り出し部７ｂは、図９に示すように、生理用ナプキン１Ａの幅方向における内方及び外方それぞれへ同程度の張り出し量で張り出している内方張り出し部７１ｂ及び外方張り出し部７２ｂから構成されている。張り出し部７ｂの張り出しは、生理用ナプキン１Ａの長手方向（ＣＬ線方向）全域に亘っている。
【００５９】
張り出し７ｂの内方張り出し部７１ｂ及び外方張り出し部７２ｂそれぞれには、図９に示すように、防漏壁７の長手方向（ＣＬ線方向）に延びる複数本の弾性部材６３が、伸張した状態で、幅方向（ＣＬ線方向と直交方向）に間隔を開けて配されており、シート６’に伸縮性が付与されている。弾性部材６３は、後方領域ｂの後方及び前方領域ｃの前方には配置されておらず、帯状のシート６’は伸縮性を有していない。シート６’が伸縮性有していない領域、又は弾性部材６３が配置されていても無伸張状態で配されている領域においては、防漏壁７’は起立しておらず、この防漏壁７’が起立していない領域に、液流れ防止壁８が設けられていることが好ましい。
【００６０】
Ｔ字状の防漏壁７’の固定端は、図９に示すように、吸収体４の側縁から所定の距離を隔てた内方の位置に設けられている。具体的には、Ｔ字状の防漏壁７’の固定端は、吸収体４の非肌当接面側にまで延びた表面シート２と裏面シート３との間に配され、ヒートシールや接着剤等により接合することができ、第２実施形態の生理用ナプキン１Ｂでは接着剤により接合されている。
【００６１】
次に上述した本発明の第２実施形態の生理用ナプキン１Ｂを使用した際の作用効果について説明する。第２実施形態の生理用ナプキン１Ｂは、第１実施形態の生理用ナプキン１Ａと同様の効果が得られる。以下、第１実施形態の生理用ナプキン１Ａと異なる効果について説明する。
【００６２】
本発明の第２実施形態の生理用ナプキン１Ｂは、図９に示すように、Ｔ字状の防漏壁７’を備えているので、Ｔ字状の防漏壁７’の起立している領域で身体の動きに面状で追従するため漏れがおこりにくい。特に、Ｔ字状の防漏壁７’が起立していない領域または起立していても液流れ防止壁８より低くされている領域に、液流れ防止壁８が設けられているので、第1実施形態と同様、身体とのフィット性が良好で、後方への液流れの防止性を高めることができる。
【００６３】
本発明の吸収性物品は、上述の第１又は第２実施形態の生理用ナプキン１Ａ，１Ｂに何ら制限されるものではなく、適宜変更可能である。また、第１又は第２実施形態の生理用ナプキン１Ａ，１Ｂにおける各構成要件は、本発明の趣旨を損なわない範囲で、適宜組み合わせて実施できる。
【００６４】
例えば、上述の第１又は第２実施形態の生理用ナプキン１Ａ，１Ｂにおいては、後側及び前側中央防止壁８１Ｂ，８１Ｃは、図３，図９に示すように、幅方向（中心線ＣＬに垂直な方向）に長い１つの箱状形状であるが、後側及び前側外方防止壁８２Ｂ，８２Ｃのように、複数個の独立した小凸部から形成されていてもよい。また、それらの小凸部がいわゆる千鳥状に配されて形成されてもよい。一対の後側及び前側外方防止壁８２Ｂ，８２Ｃそれぞれは、図３，図９に示すように、独立した複数個の小凸部８２ａにより形成されているが、図３に示す後側中央防止壁８１Ｂのように、幅方向（中心線ＣＬに垂直な方向）に長い１つの箱状形状でもよい。即ち、後側及び前側中央防止壁８１Ｂ，８１Ｃ並びに後側及び前側外方防止壁８２Ｂ，８２Ｃは、１つの箱状形状、複数個の独立した小凸部及びこれらの組み合わせであればよい。
【００６５】
また、上述の第１実施形態の生理用ナプキン１Ａにおいては、独立した複数個の小凸部８２ａは、図４に示すように、いわゆる千鳥状に配されているが、図６に示すように、幅方向（中心線ＣＬに垂直な方向）に連続的に配されていてもよい。その場合、幅方向（中心線ＣＬに垂直な方向）への経血の拡散を防止する観点から、図６に示すように、後側及び前側中央防止壁８１Ｂ，８１Ｃと、小凸部８２ａとが非連続的となるように配する。また、各小凸部８２ａは、図３，図４に示すように、略同じ大きさであるが、同じでなくてもよい。
【００６６】
また、上述の第１実施形態の生理用ナプキン１Ａにおいては、後側前側中央防止壁８１Ｂの高さは、図２に示すように、略同じであるが、図７に示すように、長手方向（ＣＬ線方向）に隣り合う後側中央防止壁８１Ｂ，８１Ｂどうしの高さが高低を繰り返し、互い違いに形成されていてもよく、図８に示すように、伝い流れ及び体液の伝い漏れをさらに効果的に防止するために、生理用ナプキン１Ａの後端部ｂ１に行くに従って、徐々に後側中央防止壁８１Ｂの高さを高くしてもよい。同様に、生理用ナプキン１Ａの前端部ｃ１に行くに従って、徐々に前側中央防止壁８１Ｃの高さを高くしてもよい。また、複数本の液流れ防止壁８は、図２に示すように、生理用ナプキン１Ａの長手方向（ＣＬ線方向）に略等間隔を置いて設けられているが、等間隔でなくてもよい。後側及び前側外方防止壁８２Ｂ，８２Ｃについても同様である。
【００６７】
溝９を構成する排泄部外溝９１、後方外溝９２及び前方外溝９３は、何れも凸状の曲線形状に形成されているが、凸状の屈曲線状に形成されていてもよい。
【００６８】
本発明の吸収性物品は、生理用ナプキン以外にも、例えば、失禁者用パッド、パンティーライナー、使い捨ておむつ等に好適に用いることができる。
【図面の簡単な説明】
【００６９】
【図１】本発明の第１実施形態である生理用ナプキンの斜視図である。
【図２】図１に示す生理用ナプキンのＹ１−Ｙ１線断面図である。
【図３】図１に示す生理用ナプキンのＸ１−Ｘ１線断面図である。
【図４】図１に示す生理用ナプキンに用いる表面シートの斜視図である。
【図５】本発明の他の実施形態の生理用ナプキンに用いる表面シートの斜視図である。
【図６】本発明の更に他の実施形態の生理用ナプキンに用いる表面シートの斜視図である。
【図７】本発明の他の実施形態の生理用ナプキンのＹ１−Ｙ１線断面図である。
【図８】本発明の更に他の実施形態の生理用ナプキンのＹ１−Ｙ１線断面図である。
【図９】本発明の第２実施形態である生理用ナプキンのＸ１−Ｘ１線断面図である。
【符号の説明】
【００７０】
１  生理用ナプキン
２  表面シート
３  裏面シート
３１  ウイング部
４  吸収体
５  吸収性本体
５ａ，５ａ  吸収性本体の長手方向の両側部
６  伸縮性シート
６’  シート
６１  肌当接面側のシート
６２  非肌当接面側のシート
６３  弾性部材
６ａ  一側部
６ｂ  他側部
７，７’  防漏壁
７ａ  基壁部
７ｂ  張り出し部
７１ｂ  内方張り出し部
７２ｂ  外方張り出し部
８  液流れ防止壁
８１Ｂ  後側中央防止壁，８１Ｃ  前側中央防止壁
８２Ｂ  後側外方防止壁，８２Ｃ  前側外方防止壁
８２ａ  小凸部
９  溝
９ａ１，９ａ２  括れ部
９１  排泄部外溝
９２  後方外溝
９３  前方外溝
１０  導液開孔
２０  別シート
【図１】
2010119454.tif 000003
【図２】
2010119454.tif 000004
【図３】
2010119454.tif 000005
【図４】
2010119454.tif 000006
【図５】
2010119454.tif 000007
【図６】
2010119454.tif 000008
【図７】
2010119454.tif 000009
【図８】
2010119454.tif 000010
【図９】
2010119454.tif 000011